(57)【特許請求の範囲】
【請求項１】
テーブルや床面などの平坦な設置面に設置されるマイクロホン装置のベース筐体と、特定の回転角度位置でのみ雌雄嵌合するラッチロック式のコネクタを介して上記ベース筐体に着脱可能に接続されるマイクロホンケーブルとを含み、
上記ベース筐体の側面に、上記コネクタの一方の部材であるレセプタクルが設けられ、上記マイクロホンケーブルの端部に、上記コネクタの他方の部材であるロック解除スイッチ付のプラグが取り付けられており、上記ロック解除スイッチを操作することにより、上記レセプタクルから上記プラグが外されるマイクロホンケーブルの接続構造において、
上記ロック解除スイッチが押しボタン式のスイッチであり、上記ベース筐体の底面には、上記ベース筐体の側面から上記ベース筐体の内方に向けて、少なくとも上記プラグの先端から上記ロック解除スイッチに至る長さの溝長と、上記ロック解除スイッチが上記設置面に接触しない溝深さとを有するプラグ収納溝が設けられており、
上記プラグ収納溝の内方側の奥まった部分に、上記レセプタクルが、上記プラグが上記設置面とほぼ平行に保たれ、かつ、上記ロック解除スイッチの押しボタンを上記設置面と対向する向きとして接続されるように配置されていることを特徴とするマイクロホンケーブルの接続構造。
【請求項２】
請求項１に記載のマイクロホンケーブルの接続構造を備えたマイクロホン装置。
【発明の詳細な説明】
【技術分野】
【０００１】
本発明は、テーブルなどの平坦な設置面に設置される卓上型のマイクロホン装置の音声信号出力用のコネクタへと接続されるマイクロホンケーブルの接続構造に関し、さらに詳しくいえば、接続されたマイクロホンケーブルがマイクロホン装置から容易に脱落しないようにしたマイクロホンケーブルの接続構造に関する。
【背景技術】
【０００２】
会議やテレビ番組などの卓上で使用される卓上型マイクロホンでは、その設置や撤収作業を容易にする観点から、テーブルなどの設置面に設置されるマイクロホン装置と音声出力用のマイクロホンケーブルとが着脱自在とされている。
【０００３】
マイクロホン装置とマイクロホンケーブルとを接続する方法としては、マイクロホン装置の音声信号出力用のコネクタと、そのコネクタを受け側とするマイクロホンケーブル側のコネクタとが用いられ、これらを互いに嵌合することで電気的な導通が得られるようになっている。
【０００４】
通常、マイクロホン装置側のコネクタが「レセプタクル」、マイクロホンケーブル側のコネクタが「プラグ」と呼ばれており、以下の説明においては、それらの用語を用いて説明する。
【０００５】
このような接続構造を備えるマイクロホン装置の一つとして、面上収音式マイクロホンがある。例えば、特許文献１に示すように、面上式収音式マイクロホンは、バウンダリーマイクロホンやサーフェイスマウントマイクロホンとも呼ばれ、扁平なマイクケースをテーブルなどの平坦な設置面に設置して用いられる。
【０００６】
このような面上収音式マイクロホンでは、マイクケースの側面側に設けられたレセプタクルとマイクロホンケーブルの一端側に設けられたプラグとが着脱自在に接続される。
【０００７】
また、上記のような接続構造を備えるマイクロホン装置の別の例として、話者の口元にマイクロホンユニットが自在に近づけられるフレキシブルシャフトによるいわゆるグースネック型マイクロホンのような卓上型マイクロホンが挙げられる。
【０００８】
この種のマイクロホンは、マイクホンスタンドに取り付けられて使用されるが、図６〜図９に、グースネック型マイクロホンなどの卓上型マイクロホンに用いられるマイクロホンスタンド１０の一例を示す。
【０００９】
このマイクロホンスタンド１０は、テーブルなどの平坦な設置面に設置されるベース筐体１１を備え、ベース筐体１１は安定性の観点から扁平な台形状に形成され、図９に示すように、その底面１１ａには金属製の底板１２が取り付けられている。
【００１０】
図６に示すように、ベース筐体１１の上面１１ｂのほぼ中央には、図示しないマイクロホン本体が支持される支持穴１３が形成されており、支持穴１３には第１のレセプタクル１４が備えられている。グースネック型マイクロホンの場合、第１のレセプタクル１４に図示しないフレキシブルシャフトの下端に設けられている出力コネクタが差し込まれる。
【００１１】
また、この例では、図９に示すように、ベース筐体１１の側面１１ｃ側には第１のレセプタクル１４と同種のコネクタである第２のレセプタクル１５が設けられている。第１のレセプタクル１４と第２のレセプタクル１５とは、それらのピン同士が、それぞれベース筐体１１内でリード線Ｌにて接続されている。
【００１２】
ベース筐体１１の第２のレセプタクル１５には、マイクロホンケーブル２０のプラグ２１が差し込まれるが、プラグ２１には、第２のレセプタクルを係止する係止爪（図示せず）と、その係止状態を解除する押しボタン式のロック解除スイッチ２２が設けられている。
【００１３】
この例では、図示はされていないが、第２のレセプタクル１５にはプラグ２１の係止爪に係止される係止孔が設けられており、第２のレセプタクル１５の係止孔へとプラグの係止爪を押し込んで係止することにより、第２のレセプタクル１５とプラグ２１とがロックされるようにしている。
【００１４】
また、ロック解除スイッチ２２を押しながら、プラグ２２を引き抜くことで、第２のレセプタクルからプラグ２２を簡単に取り外すことができるようになっている。
【先行技術文献】
【特許文献】
【００１５】
【特許文献１】特開２００５−１６７４８０号公報
【発明の概要】
【発明が解決しようとする課題】
【００１６】
しかしながら、上記のようなロック手段を用いたマイクロホンスタンド１０とマイクロホンケーブル２０との接続構造には、次のような問題があった。すなわち、マイクロホンスタンド１０のベース筐体１１はテーブルなどの平坦な設置面に設置され、第２のレセプタクル１５も設置面に水平に設置される。
【００１７】
また、第２のレセプタクル１５は、図６および図７に示すように、ベース筐体１１の側面１１ｃ側に突出するように設けられ、そこにプラグ２１が差し込まれるようになっているが、プラグ２１は、そのロック解除スイッチ２２が上側（ベース筐体１１の上面１１ｂ側）となるように接続される。
【００１８】
そのため、ロック解除スイッチ２２がマイクロホンスタンド１０の設置面の上側に露出した状態となるため、ロック解除スイッチ２２が押されてしまうと、ベース筐体１１からマイクロホンケーブル２０が簡単に外れてしまうというおそれがあった。
【００１９】
特に、バウンダリーマイクロホンやグースネック型マイクロホンなどの卓上型のマイクロホンでは、マイクロホンが話者の手に届く位置に設置されることが多く、ロック解除スイッチ２２が不用意に押されてしまうと、話者の音声が途切れるなどの放送事故が生じるおそれがあった。
【００２１】
そして、従来のマイクロホンケーブルの接続構造では、マイクロホンケーブル２０のプラグ２１がベース筐体１１の背面側にはみ出た状態となるため、映像上の美観を損なうばかりか、金属製のプラグ２１が光を多く反射するため、放送番組などではその配置に神経質とならざるを得ない。
【００２２】
さらに、同様のマイクロホンケーブルの接続構造を有するバウンダリーマイクロホンでは、別の問題として、床面や陸上トラック面の近傍に設置される場合も少なくいため、ロック解除スイッチが踏まれてしまうことにより、マイクケースからマイクロホンケーブルが簡単にはずれてしまうことがあった。
【００２３】
そこで、本発明は上記した課題を解決するため、マイクロホンのベース筐体へとマイクロホンケーブルを取り付けるにあたって、簡単な構成によりベース筐体からマイクロホンケーブルが外れないようにするとともに、マイクロホンの設置における美感を向上させるようにしたマイクロホンケーブルの接続構造および同接続構造を備えたマイクロホン装置を提供することにある。
【課題を解決するための手段】
【００２４】
本発明は、上記した課題を解決するため、テーブルや床面などの平坦な設置面に設置されるマイクロホン装置のベース筐体と、特定の回転角度位置でのみ雌雄嵌合するラッチロック式のコネクタを介して上記ベース筐体に着脱可能に接続されるマイクロホンケーブルとを含み、上記ベース筐体の側面に、上記コネクタの一方の部材であるレセプタクルが設けられ、上記マイクロホンケーブルの端部に、上記コネクタの他方の部材であるロック解除スイッチ付のプラグが取り付けられており、上記ロック解除スイッチを操作することにより、上記レセプタクルから上記プラグが外されるマイクロホンケーブルの接続構造において、
上記ロック解除スイッチが押しボタン式のスイッチであり、上記ベース筐体の底面には、上記ベース筐体の側面から上記ベース筐体の内方に向けて、少なくとも上記プラグの先端から上記ロック解除スイッチに至る長さの溝長と、上記ロック解除スイッチが上記設置面に接触しない溝深さとを有するプラグ収納溝が設けられており、
上記プラグ収納溝の内方側の奥まった部分に、上記レセプタクルが、上記プラグが上記設置面とほぼ平行に保たれ、かつ、上記ロック解除スイッチの押しボタンを上記設置面と対向する向きとして接続されるように配置されていることを特徴としている。
【００２６】
また、本発明には、上記マイクロホンケーブルの接続構造を備えたマイクロホン装置も含まれる。
【発明の効果】
【００２７】
本発明によれば、マイクロホンのベース筐体とマイクロホンケーブルとのロック解除スイッチとを設置面上から見えないベース筐体の底面側の収納溝部内に設けたことにより、ロック解除スイッチが不用意に押されてマイクロホンケーブルがベース筐体から外れることによる放送事故を回避することができる。
【００２８】
また、マイクロホンケーブルのプラグをベース筐体の収納溝部内に収納することにより、プラグの露出部分を抑えることができるとともに、プラグによる反射光を減らすことができるため、マイクロホン装置を設置した際の美感を向上させることができる。
【図面の簡単な説明】
【００２９】
【図１】本発明に係るマイクロホン装置の一例を示す平面図。
【図２】本発明に係るマイクロホン装置の一例を示す正面図。
【図３】本発明に係るマイクロホン装置のベース筐体の一例を示す側面図。
【図４】本発明に係るマイクロホン装置の一例を示す底面図。
【図５】本発明に係るマイクロホン装置の内部構造を模式的に示す側面図。
【図６】従来のマイクロホン装置の一例を示す平面図。
【図７】従来のマイクロホン装置の一例を示す正面図。
【図８】従来のマイクロホン装置のベース筐体の一例を示す側面図。
【図９】従来のマイクロホン装置の内部構造を模式的に示す側面図。
【発明を実施するための形態】
【００３０】
次に、本発明の実施形態について、図面を参照しながら説明する。図１〜図５に示すように、このマイクロホンスタンド１００は、例えばグースネック型マイクロホンのような卓上型のマイクロホン装置に用いられるものであり、テーブルなどの平坦な設置面に設置されるベース筐体１０１を備え、ベース筐体１０１の底面１０１ａには金属製の底板１０２が取り付けられている。
【００３１】
この例においても、ベース筐体１０１の上面１０１ｂには、所定の支持手段を介して図示しないマイクロホン本体が取り付けられるため、安全性の観点から扁平な台形状に形成されているが、ベース筐体１０１はマイクロホン本体を安定的に支持できる形状であれば、特には限定されない。
【００３２】
図１に示すように、ベース筐体１０１の上面１０１ｂのほぼ中央には、図示しないマイクロホン本体を支持する支持穴１０３が形成されているが、この支持穴１０３には音声信号出力用の第１のレセプタクル１０４が備えられ、図示しないマイクロホン本体の出力用コネクタが差し込まれるようになっている。
【００３３】
また、図３および図５に示すように、ベース筐体１０１の側面１０１ｃ側には第１のレセプタクル１０４と同種のコネクタである第２のレセプタクル１０５が設けられており、第１のレセプタクル１０４と第２のレセプタクル１０５とは、それらのピン同士が、それぞれベース筐体１０１内でリード線Ｌにて接続されている。
【００３４】
本発明において、図４および図５に示すように、ベース筐体１０１の底面１０１ａには、ベース筐体１０１の側面１０１ｃ側から内方に向かって、所定長さのプラグ収納溝１０６が形成されており、このプラグ収納溝１０６内に、マイクロホンケーブル２００のプラグ２０１が差し込まれるようになっている。
【００３５】
プラグ収納溝１０６のベース筐体１０１の内方側には、第２のレセプタクル１０５が配設されており、この第２のレセプタクル１０５へとマイクロホンケーブル２００のプラグ２０１を差し込むことにより、レセプタクル１０５とプラグ２０１とが嵌合されるようになっている。
【００３６】
この例においても、プラグ２０１には、第２のレセプタクル１０５を係止する係止爪（図示せず）と、その係止状態を解除するロック解除スイッチ２０２が設けられている。また、図示はされていないが、第２のレセプタクル１０５には、プラグ２０１の係止爪が係止される係止孔が設けられている。
【００３７】
本発明において、図５に示すように、第２のレセプタクル１０５とプラグ２０１とは、プラグ２０１のロック解除スイッチ２０２がマイクロホンスタンド１００の設置面と対向する向きとなるように接続されるようになっている。
【００３８】
また、プラグ収納溝１０６は、プラグ２０１を第２のレセプタクル１０５へと差し込んだときに、少なくともロック解除スイッチ２０２を含むプラグ２０１の先端が完全に収容される溝長に形成されている。
【００３９】
そのため、図１および図２に示すように、ロック解除スイッチ２０２がベース筐体１０１の上面１０１ｂ側や側面１０１ｃ側に露出しないため、話者が誤ってロック解除スイッチ２０２を押すことはなく、マイクロホンケーブル２００がベース筐体１０１から容易に外れることはない。
【００４０】
また、プラグ収納溝部１０６は、図５に示すように、プラグ２０１を第２のレセプタクル１０５へと差し込んだときに、ロック解除スイッチ２０２がマイクロホンスタンド１００の設置面と接触しない溝深さとされている。
【００４１】
そのため、ベース筐体１０１を裏返し、ロック解除スイッチ２０２を押してプラグ２０１を引き抜かない限り、マイクロホンケーブル２００がベース筐体１０１から外れることはなく、マイクロホンケーブル２００がマイクロホンスタンド１００から外れることによるよる放送事故を確実に回避することができる。
【００４２】
なお、本実施形態において、ロック解除スイッチ２０２には、押しボタン式のスイッチが採用されている。
【００４３】
また、上記実施形態においては、グースネック型マイクロホンなどの卓上マイクロホンスタンドに用いられるマイクロホンスタンド１００とマイクロホンケーブル２００との接続構造を例に説明したが、これに限られることはなく、例えば、バウンダリーマイクロホンのような面上収音式マイクロホンのレセプタクルとマイクロホンケーブルのプラグとの接続構造にも用いられる。
【００４４】
これによれば、例えば陸上競技の放送のようにバウンダリーマイクロホンを地中に埋設して使用する場合に、マイクロホンケースが地上から踏まれたとしてもロック解除スイッチが踏まれることはなく、マイクロホンケーブルがマイクロホンケースから外れることはない。
【符号の説明】
【００４５】
１００  マイクロホンスタンド
１０１  ベース筐体
１０２  底板
１０３  支持穴
１０４  第１のレセプタクル
１０５  第２のレセプタクル
１０６  プラグ収納溝
２００  マイクロホンケーブル
２０１  プラグ
２０２  ロック解除スイッチ
【図１】
0005830371.tif 000002
【図２】
0005830371.tif 000003
【図３】
0005830371.tif 000004
【図４】
0005830371.tif 000005
【図５】
0005830371.tif 000006
【図６】
0005830371.tif 000007
【図７】
0005830371.tif 000008
【図８】
0005830371.tif 000009
【図９】
0005830371.tif 000010